(57)【特許請求の範囲】
【請求項１】
冷蔵庫の扉内板の周縁部に支持されて庫内側に突出すると共に、上方が開口し、本体内を仕切壁により前後に仕切り、前記仕切壁、前面の壁、底面には食品を取り出しやすいように勾配をつけた合成樹脂製の箱体であって、前記本体内の前列の底面の勾配を左右方向の途中で略水平に変化させるとともに、この略水平に変化した底面に連なる前記仕切壁の勾配も略垂直に変化させ、傾けて収納することにより中身が溢れる可能性のある食品を前記箱体の前列の略水平な底面に略垂直に収納することを特徴とする冷蔵庫扉の収納容器。
【発明の詳細な説明】
【０００１】
【発明の属する技術分野】
この発明は冷凍冷蔵庫に取り付けられているボトル、パック、ビン等を収納する容器に関するものである。
【０００２】
【従来の技術】
従来の冷凍冷蔵庫のボトルポケット構造としては、例えば図８，９のようなものがある。図８は従来の冷凍冷蔵庫の外観図であり、図９は従来の冷凍冷蔵庫を示す側面断面図である。図９において、１は冷凍冷蔵庫、２は冷蔵室、３は開口部を閉鎖する扉である。４は扉内板で、その前面にはボトル、パック、ビン等を収納する収納容器５を形成している。収納容器５は本体内部に仕切板を設け前後に分割されており、その前面の壁、仕切壁及び底面には食品を取り出しやすくするために勾配を付けている。６は食品を乗せる棚である。
【０００３】
【発明が解決しようとする課題】
従来の冷凍冷蔵庫扉の収納容器は以上のように構成されており、扉を閉めたときの収納容器５と食品棚６とのクリアランスがあまり取れないため、収納容器前列に背の高い食品を入れると底面の勾配によって食品棚に接触し扉が開いたり半ドアになる恐れがあるため背の高い食品は収納容器の後列に続けて収納する設計となっている。しかし、本来、収納容器前列に略垂直に収納したい開封後の牛乳パック等も高さ寸法の関係上後列に収納する設計であるため再度取り出す時には前列に収納している食品を取り除くか、取り出し時に傾けて中身をこぼしてしまう等の問題があり使い勝手の面で不便あった。
【０００４】
この発明は上記のような問題点を解消するためになされたもので、収納容器と食品棚との小クリアランスの問題から背が高く傾けて収納容器の後列に収納したいペットボトル等と、底面の勾配により中身が零れることと食品棚との接触とを改善し、収納容器の前列に略垂直に収納したい開封後の牛乳パック等を一緒に収納できる収納容器を提供することを目的とする。
【０００５】
【課題を解決するための手段】
この発明に係る冷蔵庫扉の収納容器は、冷蔵庫の扉内板の周縁部に支持されて庫内側に突出すると共に、上方が開口し、本体内を仕切壁により前後に仕切り、仕切壁、前面の壁、底面には食品を取り出しやすいように勾配をつけた合成樹脂製の箱体であって、本体内の前列の底面の勾配を左右方向の途中で略水平に変化させるとともに、この略水平に変化した底面に連なる仕切壁の勾配も略垂直に変化させ、傾けて収納することにより中身が溢れる可能性のある食品を箱体の前列の略水平な底面に略垂直に収納することを特徴とする。
【０００６】
【発明の実施の形態】
実施の形態１．
以下、本発明の実施の形態１について図面を参照して説明する。図１は本発明の実施の形態１にかかわるボトルポケットを使用した冷凍冷蔵庫の冷蔵室扉の斜視図、図２はその要部斜視図である。図１において、４は扉内板で、扉内板４には大型のボトル、パック、ピン等を収納する収納容器５であるボトルポケットが備え付けられている。中仕切り５ａはボトルポケットを前後に間仕切り途中で扉内板側に変化し、かつ底面５ｂの勾配も変化している。
【０００７】
収納容器５は、扉内板４に取り付けられ、扉内板４と中仕切り５ａで間仕切りされている。前面の壁、仕切り壁、底面には、食品を取り出しやすいように傾けて収納するため約１３゜の勾配を付けている。また、底面の勾配を途中で１３゜から略水平に変化させ食品を略垂直に立てて収納することが出来る様にしている。この底面の勾配を略水平に変化させることで、背が高く収納容器５の前列に傾けて収納すると食品棚６と当たり半ドア等の不具合のおこる可能性がある背の高い食品、あるいは、傾けて収納することにより中身が溢れる可能性のある牛乳パック等の食品、または、後列に収納すると取り出す時に中身が溢れる心配のある牛乳パック等を収納容器の前列に略垂直に収納することができる。
【０００８】
実施の形態２．
以下、この発明の実施の形態２を図について説明する。図３はこの発明の実施の形態２による冷凍冷蔵庫の冷蔵室扉の要部斜視図である。図において、７は別容器で本体は食品棚６と接触しないようクリアランスを確保するために底面５ｂの勾配も略水平に変化させている収納容器である。
【０００９】
上記の構成により、実施の形態１と同様のメリットがあることはもちろんのこと、例えば、牛乳パックから牛乳が溢れた時等、別容器７がその滴を受けるため収納容器５本体をいちいち取り外さなくても別容器７のみ洗浄すれば良い。また、別容器７を取り外したまま使用すればより大きな食品の収納が可能である。
【００１０】
実施の形態３．
以下、発明の実施の形態３を図について説明する。図４はこの発明の実施の形態３による収納容器５に別容器７を取り付けた状態を示す斜視図である。図５は図４のＡ−Ａ線断面図である。図５に示すようにボトルポケット本体の前面の勾配を付けた壁５ｅと別容器７で空間を造り、ストッパ５ｆで別容器７を固定している。
【００１１】
上記の構成により、実施の形態１，２と同様のメリットがあることはもちろんのこと、収納容器５本体の前面の壁５ｆと別容器７とで造る空間に薬味調味料等のチューブ類８の収納が可能である。
【００１２】
実施の形態４．
以下、この発明の実施の形態４を図について説明する。図６はこの発明の実施の形態４による収納容器５に別容器７を取り付けた状態を示す斜視図である。図７は図６のＢ−Ｂ線断面図である。実施の形態４は上記実施の形態３に対し別容器７のフランジ７ａを延ばし収納容器５に引っ掛ける構造を取り別容器７を固定すると共にフランジに穴７ｂを開けてここに空間をつくる。ここで別容器７のフランジ７ａは収納容器５に引掛けて固定する構造をとらずに固定構造は別にとりフランジ７ａを延ばし穴７ｂを開けて収納容器５との間に空間を造るだけでも良い。
【００１３】
上記の構成により、ボトルポケット本体の前面の壁５ｆと別容器７とで造る空間に薬味調味料等のチューブ類８の収納が可能であり、フランジ穴７ｂを利用することで整理性も良く意匠性にも優れる。
【００１４】
【発明の効果】
この発明に係る冷蔵庫扉の収納容器は、底面及び仕切壁の勾配を途中で変化させることで傾けて収納容器の後列に収納したい背の高い食品と、略垂直に立てて収納したい牛乳パック等の食品を同じ容器に収納することが出来る効果がある。
【図面の簡単な説明】
【図１】  この発明の実施の形態１による冷凍冷蔵庫を示す斜線図である。
【図２】  この発明の実施の形態１による冷凍冷蔵庫扉の収納容器を示す斜視図である。
【図３】  この発明の実施の形態２による冷凍冷蔵庫扉の収納容器を示す斜視図である。
【図４】  この発明の実施の形態３による冷凍冷蔵庫扉の収納容器を示す斜視図である。
【図５】  図４のＡ−Ａ線断面図である。
【図６】  この発明の実施の形態４による冷凍冷蔵庫扉の収納容器を示す斜視図である。
【図７】  図６のＢ−Ｂ線断面図である。
【図８】  従来の冷凍冷蔵庫の外観図である。
【図９】  従来の冷凍冷蔵庫を示す側面断面図である。
【符号の説明】
１  冷凍冷蔵庫、２  冷蔵室、３  扉、４  扉内板、５  収納容器、６  食品棚、７  別容器、８  チューブ。
【図１】
0003872018.tif 000002
【図２】
0003872018.tif 000003
【図３】
0003872018.tif 000004
【図４】
0003872018.tif 000005
【図５】
0003872018.tif 000006
【図６】
0003872018.tif 000007
【図７】
0003872018.tif 000008
【図８】
0003872018.tif 000009
【図９】
0003872018.tif 000010